(57)【要約】      （修正有）【課題】ディスプレイ時に商品を前方に滑走させるよう傾斜した底面板を形成できる傾斜底形成シート、包装資材セット及びディスプレイ兼用箱を提供する。【解決手段】傾斜底形成シート１０は、一枚のシートからなり、略方形の底面板１１と、この底面板の後端縁から延設される背面板１２とを備え、底面板に、始端及び終端が底面板の後端縁である舌片形成用切込線１３、及びこの舌片形成用切込線の前方に連続する舌片引出開口１４が形成されている。包装資材セットは、傾斜底形成シート１０と、この傾斜底形成シートを収容可能な箱体に組み立てられる箱用シート２０とを備え、傾斜底形成シートの底面板が、箱用シートを組み立てた箱体の底面と略等しい長さ及び幅を有する。箱用シート２０が、少なくとも組み立て状態における天面及び背面の上部を除去可能な切断容易部を有するとよい。【選択図】図５
0003190005.tif 000002
【実用新案登録請求の範囲】
【請求項１】
一枚のシートからなり、
略方形の底面板と、
この底面板の後端縁から延設される背面板とを備え、
上記底面板に、始端及び終端が底面板の後端縁である舌片形成用切込線、及びこの舌片形成用切込線の前方に連続する舌片引出開口が形成されている傾斜底形成シート。
【請求項２】
請求項１に記載の傾斜底形成シートと、この傾斜底形成シートを収容可能な箱体に組み立てられる箱用シートとを備え、
上記傾斜底形成シートの底面板が、上記箱用シートを組み立てた箱体の底面と略等しい長さ及び幅を有する包装資材セット。
【請求項３】
上記箱用シートが、少なくとも組み立て状態における天面及び背面の上部を除去可能な切断容易部を有する請求項２に記載の包装資材セット。
【請求項４】
上記傾斜底形成シートが上記背面板に開口する把持穴を有し、
上記背面板の前端縁から上記把持穴の遠位側端縁までの距離が、上記箱用シートの組み立て状態における底面から上記切断容易部までの距離よりも大きい請求項３に記載の包装資材セット。
【請求項５】
請求項２、請求項３又は請求項４に記載の包装資材セットを組み立ててなるディスプレイ兼用箱。
【考案の詳細な説明】
【技術分野】
【０００１】
本考案は、傾斜底形成シート、包装資材セット及びディスプレイ兼用箱に関する。
【背景技術】
【０００２】
輸送時に商品を収容する箱をディスプレイ（陳列台）としても使用できるようデザインしたディスプレイ兼用箱が多種使用されている。一般のディスプレイの中には、コンビニエンスストアの飲料用冷蔵棚のように、最前列の商品を取り出すと後方の商品が前方に滑走するような傾斜を有するものがある。これと同様に、ディスプレイ兼用箱においても、商品が前方に滑走するよう底面板に傾斜を設けたものがある（特開２０００−１０９０５４号公報参照）。
【０００３】
しかしながら、上記公報に記載のディスプレイ兼用箱のように、最初から底面板を傾斜させると底面板の下方にデッドスペースが生じるので、嵩高くなって輸送や保管のためのコストが増大する等の不都合を生じるおそれがある。
【先行技術文献】
【特許文献】
【０００４】
【特許文献１】特開２０００−１０９０５４号公報
【考案の概要】
【考案が解決しようとする課題】
【０００５】
上記不都合に鑑みて、本考案は、ディスプレイ時に商品を前方に滑走させるよう傾斜した底面板を形成できる傾斜底形成シート、包装資材セット及びディスプレイ兼用箱を提供することを課題とする。
【課題を解決するための手段】
【０００６】
上記課題を解決するためになされた考案は、一枚のシートからなり、略方形の底面板と、この底面板の後端縁から延設される背面板とを備え、上記底面板に、始端及び終端が底面板の後端縁である舌片形成用切込線、及びこの舌片形成用切込線の前方に連続する舌片引出開口が形成されている傾斜底形成シートである。
【０００７】
当該傾斜底形成シートは、底面板に対して背面板を上方に折り曲げるとともに、舌片形成用切込線によって形成される舌片を下方に伸ばし、この舌片を上部が開口した箱体の背面の上端に係止することにより、箱体の内部に底面板を傾斜した状態に保持できる。この底面板の上に商品を前後に並べてディスプレイすれば、前方の商品を取り出したときに、後方の商品が底面板上を前方に滑走するので、自動的に前出し（商品を棚の前側に寄せること）ができる。
【０００８】
上記課題を解決するためになされた別の考案は、上記傾斜底形成シートと、この傾斜底形成シートを収容可能な箱体に組み立てられる箱用シートとを備え、上記傾斜底形成シートの底面板が、上記箱用シートを組み立てた箱体の底面と略等しい長さ及び幅を有する包装資材セットである。
【０００９】
当該包装資材セットを組み立てたディスプレイ兼用箱は、箱体の底面及び背面の内側に沿うよう傾斜底形成シートを収容し、この傾斜底形成シートの底面板の上に商品を収容できるので、デッドスペースが生じない。また、上述のように、傾斜底形成シートによって、ディスプレイ時には商品を前方に滑走させるよう傾斜した底面板を形成できるので、自動的に商品を前出しでき、販売促進効果を向上できる。
【００１０】
上記箱用シートが、少なくとも組み立て状態における天面及び背面の上部を除去可能な切断容易部を有するとよい。このように箱体の天面及び背面の上部を除去可能とすることによって、ディスプレイ状態における底面板の傾斜角度を最適化できる。
【００１１】
上記傾斜底形成シートが上記背面板に開口する把持穴を有し、上記背面板の前端縁から上記把持穴の遠位側端縁までの距離が、上記箱用シートの組み立て状態における底面から上記切断容易部までの距離よりも大きいとよい。このような把持穴を形成することによって、当該包装資材セットを組み立てたディスプレイ兼用箱を切断容易部を切断して開函したとき、少なくとも部分的に把持穴が露出するので、把持穴に指をかけて背面板を容易に持ち上げることができ、ディスプレイ兼用箱を底面板が傾斜するディスプレイ状態に容易に組み立て直せる。
【００１２】
上記課題を解決するためになされた別の考案は、上記包装資材セットを組み立ててなるディスプレイ兼用箱である。
【００１３】
当該ディスプレイ兼用箱は、開函前にはデッドスペースなく商品を収容でき、ディスプレイ時には商品を前方に滑走させるよう傾斜した底面板を形成できる。
【考案の効果】
【００１４】
上述のように、本考案の傾斜底形成シートは、ディスプレイ時に商品を前方に滑走させるよう傾斜した底面板を容易に形成できるので、効果的な商品陳列を可能にする。
【図面の簡単な説明】
【００１５】
【図１】本考案の一実施形態の傾斜底形成シートを示す模式的平面図である。
【図２】図１の傾斜底形成シートと共に本考案の一実施形態の包装資材セットを構成する箱用シートの模式的平面図である。
【図３】図１の傾斜底形成シート及び図２の箱用シートからなる包装資材セットを組み立てて商品を収容したディスプレイ兼用箱の模式的断面図である。
【図４】図３のディスプレイ兼用箱を開函した状態を示す模式的断面図である。
【図５】図４のディスプレイ兼用箱を組み立て直したディスプレイ状態を示す模式的断面図である。
【考案を実施するための形態】
【００１６】
以下、適宜図面を参照しつつ、本考案の実施の形態を詳説する。
【００１７】
［包装資材セット］
本考案の一実施形態の包装資材セットは、図１の傾斜底形成シート１０と、図２の箱用シート２０とを備える。
【００１８】
＜傾斜底形成シート＞
図１の傾斜底形成シート１０は、一枚の段ボールシートからなり、略方形の底面板１１と、この底面板１１の後端縁から延設される略方形の背面板１２とを備える。なお、図１において、太い実線は段ボールシートを切断したエッジを示し、細い実線は段ボールシートを型押しして形成した折り曲げ容易線（罫線）を示す。
【００１９】
当該傾斜底形成シート１０において、段ボールシートの中芯は、その稜線が前後方向（底面板１１の後端縁に垂直な方向）になるよう配向されている。
【００２０】
上記底面板１１には、始端及び終端が底面板１１の後端縁である略コの字状の舌片形成用切込線１３、及びこの舌片形成用切込線１３の前方に連続し、舌片形成用切込線１３の中央部を周縁の一部とする舌片引出開口１４が形成されている。舌片形成用切込線１３及び舌片引出開口１４は、底面板１１の左右方向（底面板１１の後端縁に平行な方向）中央に形成されている。
【００２１】
舌片形成用切込線１３は、底面板１１から切り離され、背面板１２の前端縁から延出する略方形の舌片１５を形成する。
【００２２】
上記背面板１２の後端縁近傍の左右方向中央には、この後端縁に略平行な端縁を有し、この端縁を長辺とする略長方形で４つの角がそれぞれ円弧状に面取りされた把持穴１６が開口している。また、上記背面板１２の後端縁と両側の側端縁との角は、それぞれ円弧状に面取りされている。
【００２３】
傾斜底形成シート１０における舌片１５の幅（底面板１１の後端縁に平行な方向の長さ）の下限としては、底面板１１の後端縁の幅の１０％が好ましく、２０％がより好ましい。一方、舌片１５の幅の上限としては、底面板１１の後端縁の幅の６０％が好ましく４０％がより好ましい。舌片１５の幅が上記下限に満たない場合、舌片１５の強度が不足し、当該傾斜底形成シート１０を箱体に傾斜して係合させた状態を保持できないおそれがある。また、舌片１５の幅が上記上限を超える場合、底面板１１と背面板１２との接続長が小さくなるので、底面板１１と背面板１２との間が破断するおそれがある。
【００２４】
傾斜底形成シート１０における舌片引出開口１４の幅（底面板１１の後端縁に平行な方向の長さ）の下限としては１５ｍｍが好ましく、２０ｍｍがより好ましい。一方、舌片引出開口１４の幅の上限としては、５０ｍｍが好ましく３０ｍｍがより好ましい。舌片引出開口１４の幅が上記下限に満たない場合、舌片引出開口１４に指を差し込むことが容易ではなく、舌片１５を底面板１１から引き出す作業が難しくなるおそれがある。また、舌片引出開口１４の幅が上記上限を超える場合、底面板１１の残部の幅が小さくなり底面板１１の強度が不足するおそれがある。
【００２５】
傾斜底形成シート１０における背面板１２の後端縁から把持穴１６までの距離の下限としては、８ｍｍが好ましく、１２ｍｍがより好ましい。一方、背面板１２の後端縁から把持穴１６までの距離の上限としては、５０ｍｍが好ましく、３０ｍｍがより好ましい。背面板１２の後端縁から把持穴１６までの距離が上記下限に満たない場合、背面板１２の後端縁と把持穴１６との間の部分の強度が不足して、把持穴１６に指を入れて底面板１１に載置された商品Ｐごと傾斜底形成シート１０を持ち上げると背面板１２が破断するおそれがある。また、背面板１２の後端縁から把持穴１６までの距離が上記上限を超える場合、背面板１２が無用に大きくなるか、開函時に指をかけられる位置に把持穴１６を形成することができなくなるおそれがある。
【００２６】
傾斜底形成シート１０における把持穴１６の幅（背面板１２の前端縁に平行な方向の長さ）の下限としては１５ｍｍが好ましく、２０ｍｍがより好ましく、５０ｍｍがさらに好ましい。一方、把持穴１６の幅の上限としては、１００ｍｍが好ましく７０ｍｍがより好ましい。把持穴１６の幅が上記下限に満たない場合、把持穴１６に指（好ましくは複数の指）を差し込むことが容易ではなく、傾斜底形成シート１０を持ち上げることが難しくなるおそれがある。また、把持穴１６の幅が上記上限を超える場合、傾斜底形成シート１０を持ち上げる際に背面板１２の把持穴１６より後ろ側の部分が応力集中により破断し易くなるおそれがある。
【００２７】
傾斜底形成シート１０における把持穴１６の前後方向の長さの下限としては１５ｍｍが好ましく、２５ｍｍがさらに好ましい。一方、把持穴１６の前後方向の長さの上限としては、１００ｍｍが好ましく７０ｍｍがより好ましい。把持穴１６の長さが上記下限に満たない場合、把持穴１６に指を差し込むことが容易ではなく、傾斜底形成シート１０を持ち上げることが難しくなるおそれがある。また、把持穴１６の長さが上記上限を超える場合、背面板１２が破断し易くなるおそれがある。
【００２８】
＜箱用シート＞
図２の箱用シート２０は、一枚の段ボールシートからなり、一般にＡ式と呼ばれるミカン箱タイプの箱体を形成するものである。図２においても、太い実線は段ボールシートを切断したエッジを示し、細い実線は段ボールシートを型押しして形成した折り曲げ容易線（罫線）を示す。
【００２９】
具体的には、この箱用シート２０は、一対の側面パネル２１，２２と、この側面パネル２１，２２の側縁間を接続する正面パネル２３と、側面パネル２２のもう一つの側縁から延設され、正面パネル２３と対をなす背面パネル２４と、各側面パネル２１，２２の上縁から延出する一対の上外フラップ２５と、側面パネル２１，２２の下縁から延出する一対の下外フラップ２６と、正面パネル２３及び背面パネル２４の上縁から延出する一対の上内フラップ２７と、正面パネル２３及び背面パネル２４の下縁から延出する一対の下内フラップ２８と、側面パネル２１のもう一つの側縁から延設され、背面パネル２４に接着される貼着片２９とを備える。
【００３０】
箱用シート２０において、段ボールシートの中芯は、その稜線が上下方向、つまり側面パネル２１，２２、正面パネル２３及び背面パネル２４の側縁と平行になるよう配向されている。
【００３１】
さらに、図２の箱用シート２０は、側面パネル２１，２２、正面パネル２３及び背面パネル２４を横断するよう、一定の幅で対向するよう間欠的に設けられた切断用切込線によって形成される帯状の切断容易部３０を有する。この切断容易部３０は、側面パネル２２に設けられた横向きＨ字状の切込みにより形成される切断開始部３１を有する。
【００３２】
このような切断容易部３０は、箱用シート２０から容易に切除することができ、それにより側面パネル２１，２２、正面パネル２３及び背面パネル２４の上部を上外フラップ２５及び上内フラップ２７と共に他の部分から切り離すことができる。
【００３３】
当該包装資材セットにおいて、傾斜底形成シート１０の底面板１１の前後方向の長さは、箱用シート２０の側面パネル２１，２２の横方向の長さ（上縁及び下縁の長さ）と略等しく、上記底面板１１の左右方向の幅は、箱用シート２０の正面パネル２３及び背面パネル２４の横方向の長さ（上縁及び下縁の長さ）と略等しい。より詳しくは、上記底面板１１の長さ及び幅は、側面パネル２１，２２の長さ及び正面パネル２３及び背面パネル２４の長さよりも段ボールシートの厚さ２枚から５枚分程度小さい。
【００３４】
また、当該包装資材セットにおいて、傾斜底形成シート１０の背面板１２の前後の長さは、箱用シート２０の背面パネル２４の高さ（側縁の長さ）よりも小さい。傾斜底形成シート１０における背面板１２の前端縁（底面板１１の後端縁）から把持穴１６の近位側端縁（背面板１２の前端縁に最も近い端縁）までの距離は、箱用シート２０における背面パネル２４の下縁から切断容易部３０までの距離よりも大きい。よって、背面板１２の前端縁から把持穴１６の遠位側端縁（背面板１２の前端縁から最も遠い端縁）までの距離は、それよりもさらに大きい。
【００３５】
箱用シート２０における背面パネル２４の下縁から切断容易部３０までの距離の下限としては、傾斜底形成シート１０の底面板１１の前後方向の長さの１５％が好ましく、２０％がより好ましい。一方、背面パネル２４の下縁から切断容易部３０までの距離の上限としては、底面板１１の前後方向の長さの４０％が好ましく、３５％がより好ましい。背面パネル２４の下縁から切断容易部３０までの距離が上記下限に満たない場合、後述するように傾斜底形成シート１０の底面板１１によって形成される傾斜した中底の傾斜角度が小さ過ぎて、底面板１１上に載置した商品を前方に滑走させられないおそれがある。また、背面パネル２４の下縁から切断容易部３０までの距離が上記上限を超える場合、後述するように傾斜底形成シート１０の底面板１１によって形成される傾斜した中底の傾斜角度が大き過ぎて、底面板１１上に載置した商品が転倒するおそれや、陳列スペースが無用に大きくなるおそれがある。
【００３６】
＜ディスプレイ兼用箱＞
図１の傾斜底形成シート１０及び図２の箱用シート２０からなる当該包装資材セットは、図３乃至図５に示すディスプレイ兼用箱の形態に組み立てられる。図３は、当該ディスプレイ兼用箱が複数の商品Ｐを収容して封函されている状態を示し、図４は、当該ディスプレイ兼用箱を開函した状態を示し、図５は、当該ディスプレイ兼用箱を使用して商品Ｐを陳列する状態を示す。
【００３７】
（ディスプレイ兼用箱の組み立て）
ここで、当該ディスプレイ箱の組み立て手順を説明する。
【００３８】
先ず、当該包装資材セットの箱用シート２０は、貼着片２９が背面パネル２４に接着されることにより、側面パネル２１，２２、正面パネル２３及び背面パネル２４によって平面視で長方形の四角筒状部を形成する。通常、当該包装資材セットは、貼着片２９が背面パネル２４に接着されて箱用シート２０が四角筒状部を形成している状態で、ユーザーに提供される。
【００３９】
続いて、箱用シート２０の上記四角筒状部の下端開口が、一対の下内フラップ２８を内向きに折り曲げてから一対の下外フラップ２６をそれらの先端縁を突き合わせるよう折り重ねることによって封止される。つまり、一対の下外フラップ２６は、箱用シート２０を組み立てた箱体の底面を形成する。
【００４０】
下外フラップ２６は、先端縁の合わせ目に沿って粘着テープが貼着されることや、下内フラップ２８に対して糊付けされることによって、四角筒状部を封止する底面を形成した状態に保持される。
【００４１】
このように四角筒状部の下端開口を封止して有底筒状に形成された箱用シートの内側底部に、傾斜底形成シート１０が収容される。このとき傾斜底形成シート１０は、図３に示すように、底面板１１と背面板１２とが略直角をなすよう折り曲げられ、底面板１１が箱用シート２０を組み立てた箱体の底に沿うよう配置されると共に、背面板１２が箱用シート２０を組み立てた箱体の背面、つまり背面パネル２４に沿うよう配置される。この時、舌片１５は、底面板１１と一体に背面板１２に対して折り曲げられる。
【００４２】
そして、複数の商品Ｐが、箱用シート２０を組み立てた箱体の内部で底面板１１の上に、前後方向に列をなすよう並べて収容される。
【００４３】
商品Ｐを収容したなら、一対の上内フラップ２７を内向きに折り曲げて、その上に一対の上外フラップ２５を先端縁を突き合わせるよう折り重ねることによって、四角筒状部の上端開口を封止して直方体状のディスプレイ兼用箱が形成される。つまり、一対の上外フラップ２５は、側面パネル２１，２２、正面パネル２３及び背面パネル２４からなる四角筒状部の上端開口を封止する天面を形成する。
【００４４】
この上外フラップ２５も、上述の下外フラップ２６と同様に、先端縁の合わせ目に沿って粘着テープを貼着することや、上内フラップ２７に対して糊で接着することにより、四角筒状部の上端開口を封止する状態に保持される。
【００４５】
（ディスプレイ兼用箱の開函）
上述のように、傾斜底形成シート１０及び箱用シート２０からなる包装資材セットを組み立ててなる当該ディスプレイ兼用箱は、切断容易部３０の切断開始部３１を把持して引っ張ることにより、切断容易部３０を帯状に切り取ることができる。これにより、側面パネル２１，２２、正面パネル２３及び背面パネル２４の上部が、上外フラップ２５及び上内フラップ２７、つまり箱用シート２０を組み立てた箱体の天面と共に他の部分から切り離すことができる。
【００４６】
これにより、当該ディスプレイ兼用箱は、図４に示すように、箱用シート２０が形成する箱体の天面並びに正面、両側面及び背面の上部を容易に除去して開函（開封）することができる。
【００４７】
上述のように背面板１２の前端縁（から把持穴１６の近位側端縁までの距離が背面パネル２４の下縁から切断容易部３０までの距離よりも大きいので、切断容易部３０を切除することにより開函したとき、当該ディスプレイ兼用箱の背面には傾斜底形成シート１０の把持穴１６が露出する。
【００４８】
（ディスプレイ兼用箱によるディスプレイ）
当該ディスプレイ兼用箱は、図４に示すように開函された状態から、把持穴１６に指をかけて背面板１２を持ち上げることにより、多数の商品Ｐを載せたまま底面板１１の後端側が持ち上げられる。
【００４９】
底面板１１の後端縁を当該ディスプレイ兼用箱から露出させるまで背面板１２を持ち上げ、この状態で舌片引出開口１４に指を差し込むことにより、舌片１５を底面板１１の下方に突出するよう引き出す。
【００５０】
そして、図５に示すように、箱用シート２０を組み立てた箱体の背面パネル２４の外面側に舌片１５配置し、底面板１１の後端縁を背面パネル２４の切断容易部３０を切除して形成された切断縁の上に載置する。
【００５１】
これにより、当該ディスプレイ兼用箱は、内部に商品Ｐを載置する中底であって、前側に向かって傾斜する底面板１１を備えるものとなる。
【００５２】
この傾斜した底面板１１上に載置した商品Ｐは、この傾斜に沿って前方に滑走する。従って、消費者が前側の商品を購入するために当該ディスプレイ兼用箱から取り出すと、後ろ側に収容されていた商品が底面板１１上を前方に向かって滑り降りる。つまり、商品を陳列棚の前方に詰めて陳列してディスプレイ効果を高める前出しが自動で行われ、その商品の販売が促進される。
【００５３】
＜利点＞
当該傾斜底形成シート１０は、上述のように、底面板１１に対して背面板１２を上方に折り曲げるとともに、舌片形成用切込線１３によって形成される舌片１５下方に伸ばし、この舌片１５を、箱用シート２０を組み立ててなり、トレー状に開函した箱体の背面パネル２４の背面に上記舌片１５を係止することによって、底面板１１の後端縁を背面パネル２４の切断縁上に保持できる。これにより、当該ディスプレイ兼用箱は、箱体の内部に底面板１１によって前側が低くなるように傾斜した中底を形成できる。この底面板１１上に傾斜方向に並べて配置された商品は、底面板１１の傾斜によって正面パネル２３に当接するまで前方に滑走する。従って、当該傾斜底形成シート１０を備えるディスプレイ兼用箱を用いて商品を陳列すれば、前方の商品を取り出したときに後方の商品が底面板上を前方に滑走するので、自動的に前出しされ、消費者に対する訴求力が高く、店員の作業を軽減できる。
【００５４】
また、当該包装資材セットでは、傾斜底形成シート１０の底面板１１が、箱用シート２０組み立てた箱体の底面と略等しい長さ及び幅を有する。これによって、傾斜底形成シート１０を箱用シート２０組み立てた箱体の中に効率よく収容できると共に、ディスプレイ状態に組み立て直したとき、底面板１１の前端縁と正面パネル２３との傾斜ができない隙間が小さくなるので、商品を正面パネル２３に当接する位置まで確実に滑走させられる。これにより、ディスプレイ効果をより向上できる。
【００５５】
また、当該包装資材セットを組み立てたディスプレイ兼用箱は、箱用シート２０を組み立てた箱体の底面及び背面の内側に沿うよう傾斜底形成シート１０を収容し、この傾斜底形成シート１０の底面板１１の上に商品を収容するので、デッドスペースが生じない。このため輸送や保管のためのコストが大きくならない。
【００５６】
また、当該ディスプレイ兼用箱は、箱用シート２０を組み立てた箱体の天面及び背面パネル２４の上部を除去可能な切断容易部３０を有するので、この切断容易部３０を切断するだけで、箱体の上部を開放する共に、傾斜底形成シート１０の底面板１１によって形成される中底の傾斜を最適化するよう背面パネル２４の高さを調節できる。
【００５７】
また、傾斜底形成シート１０の背面板１２の前端縁から把持穴１６のまでの距離が、箱用シート２０の組み立て状態における底面から切断容易部３０までの距離よりも大きいので、箱用シート２０の組み立てた箱体を開函するだけで把持穴１６が露出し、傾斜底形成シート１０の背面板１２を容易に持ち上げて、底面板１１を傾斜させて保持するディスプレイ状態に容易に組み立て直せる。
【００５８】
また、当該傾斜底形成シート１０を構成する段ボールシートは、中芯の稜線が前後方向配向されているので、底面板１１が前後方向にたわみにくく、底面板１１の傾斜角度を略一定にできる。
【００５９】
［その他の実施形態］
今回開示された実施の形態はすべての点で例示であって制限的なものではないと考えられるべきである。本考案の範囲は、上記実施形態の構成に限定されるものではなく、実用新案登録請求の範囲によって示され、実用新案登録請求の範囲と均等の意味及び範囲内での全ての変更が含まれることが意図される。
【００６０】
例えば、当該箱用シートの切断容易部は、組み立て状態における天面及び背面の上部を除去可能であればよく、例えば、ディスプレイ状態における傾斜底形成シートの底面板と平行な切断縁を形成するよう側面パネルを斜めに切断してもよい。
【００６１】
また、当該箱用シートの切断容易部は、開函時に把持穴全体を露出させる必要はなく、少なくとも把持穴の背面板前端縁に対する遠位側端縁を露出させるように形成されることが好ましい。
【００６２】
また、当該傾斜底形成シートは、背面部に把持穴が形成されたものに限らない。背面板の持ち上げを容易にする代案として、背面板の後端縁からさらに延出し、当該ディスプレイ兼用箱の封函状態において、商品の上側に折り曲げて配置される把持片を設けてもよい。さらにこの把持片に把持穴を形成して背面板の持ち上げを容易にしてもよい。
【００６３】
また、当該傾斜底形成シートは、複数の舌片を形成するよう、複数の舌片形成用切込線及び舌片引出開口が形成されてもよい。特に、当該傾斜底形成シートの幅が大きい場合には、複数の舌片を設けることにより、底面板の安定性を高めることができる。
【００６４】
さらに、当該包装資材セットにおける箱用シートは、上述のようなＡ式以外のタイプの箱体を形成するものであってもよい。
【産業上の利用可能性】
【００６５】
本考案の傾斜底形成シート、包装資材セット及びディスプレイ兼用箱は、特に傾斜面上に自立する商品の包装及び陳列に好適に使用できる。
【符号の説明】
【００６６】
１０  傾斜底形成シート
１１  底面板
１２  背面板
１３  舌片形成用切込線
１４  舌片引出開口
１５  舌片
１６  把持穴
２０  箱用シート
２１，２２  側面パネル
２３  正面パネル
２４  背面パネル
２５  上外フラップ
２６  下外フラップ
２７  上内フラップ
２８  下内フラップ
２９  貼着片
３０  切断容易部
３１  切断開始部
【図１】
0003190005.tif 000003
【図２】
0003190005.tif 000004
【図３】
0003190005.tif 000005
【図４】
0003190005.tif 000006
【図５】
0003190005.tif 000007